(57)【要約】      （修正有）【課題】脱水効率、防水性及び使用寿命を増進可能なモップの遠心脱水装置を提供する。【解決手段】脱水バケツ１と、モップ専用絞り器２と、遮水リング３と、伝動機構とを含む。脱水バケツ１に収容部１２を設置し、収容部１２が載置板１３を備え、載置板１３の中央に軸孔１４を備え、軸孔１４の外環周の対応する位置に遮水壁１６を凸設する。モップ専用絞り器２はモップ底部を収容できる収容槽２１を備え、並びに収容槽２１の底部に軸棒２３を接合し、底部の遮水壁１６の対応する位置に遮水壁１６と嵌合できる環状嵌め輪を凸設する。遮水リング３を脱水バケツ１頂上部、及び、収容部１２の上方の対応する位置に設け、並びに嵌合溝３１、隔壁３２を設置し、遮水リング３の頂上部の中央方向へ向け遮水片３３を設置する。伝動機構４は台座４１、ペダル４２、弾性エレメント４３、頂座４４、歯車組４５を備える。【選択図】図１
0003160843.tif 000002
【実用新案登録請求の範囲】
【請求項１】
モップの遠心脱水装置であって、
一側に収容部が設置される収容室、前記収容部の下方に設けられ軸孔を有する載置板、前記軸孔の外環周の対応する位置に凸設される遮水壁、および、前記収容部の前記載置板下方の対応する位置に設置される内凹部を有する脱水バケツと、
複数の水切り孔が設けられモップ底部を収容可能な収容槽、前記載置板に接合可能な軸棒、および、前記載置板の前記遮水壁に対応する位置に凸設され前記遮水壁と嵌合可能な環状嵌め輪を有するモップ専用絞り器と、
前記脱水バケツのバケツ壁頂上部端縁の対応する位置にバケツ壁頂上部と接合可能に設置される嵌合溝、前記脱水バケツのバケツ壁内面の対応する位置に設置される隔壁、および、頂上部が中央方向へ向けて形成される遮水片を含み、前記脱水バケツの頂上部及び前記収容部上方の対応する位置に設けられ、前記遮水片の内面と前記隔壁の間に遮水夾角を形成する遮水リングと、
台座、ペダル、弾性エレメント、頂座、及び歯車組を備え、前記台座を前記脱水バケツの内凹部下方位置に固設し、その上方に枢着部を設置し、前記ペダル下方に前記枢着部を備え、前記枢着部と前記台座とが枢着し、歯板をさらに備え、前記歯板の上方に歯形部を設置し、前記歯板に足踏み部を連設し、前記弾性エレメントが前記ペダルの復帰動作の弾力を提供し、前記頂座を前記脱水バケツの内凹部上方に設け、並びに、接合エレメントにより前記脱水バケツの前記載置板の底面と接合し、前記頂座は第１歯車溝を備え、前記歯車組は第１歯車を備え、前記第１歯車が前記頂座の前記第１歯車溝、及び、前記脱水バケツの軸孔の軸方向位置に設置し、その軸心の対応する位置にワンウェイベアリングを固装し、また、前記モップ専用絞り器の前記軸棒が前記脱水バケツの軸孔を穿通して前記ワンウェイベアリングと連動接合し、また、前記歯車組と前記ペダルの前記歯形部と噛合連動し、前記ペダルの足踏み部の繰り返し足踏み動作が前記歯車組、前記軸棒、前記モップ専用絞り器を回転動作させることが可能な伝動機構とを、
含むことを特徴とするモップの遠心脱水装置。
【請求項２】
前記脱水バケツの軸孔内に好ましい耐摩耗材質で製造された上部軸スリーブを設置し、また、前記上部軸スリーブが前記モップ専用絞り器の前記軸棒を穿通できることを特徴とする請求項１に記載のモップの遠心脱水装置。
【請求項３】
前記遮水片の内面と隔壁の間の夾角が９０°より小さいことを特徴とする請求項１に記載のモップの遠心脱水装置。
【請求項４】
前記伝動機構の前記台座の一側に立板を凸設し、且つ、前記立板に定位柱を設置し、前記ペダルの前記歯板が前記定位柱に対応すると共に前記歯板の作動行程に合わせる位置に前記定位柱を挿入可能な円弧穴を設置することを特徴とする請求項１に記載のモップの遠心脱水装置。
【請求項５】
前記弾性エレメントは、ねじりコイルばねで、且つ、そのコイル両側がそれぞれ台座、ペダルに当たり、並びに、前記ペダルの復帰動作の弾力を提供することを特徴とする請求項１に記載のモップの遠心脱水装置。
【請求項６】
前記伝動機構の前記頂座には、更に第２歯車溝及び第３歯車溝を含み、また、前記第３歯車溝に軸柱を設置し、更に前記頂座の底部に前記軸棒が挿入できる中空接合柱を設け、また、前記歯車組が更に第２歯車、第３歯車、第４歯車、及び第５歯車を含み、前記第２歯車、前記第３歯車が同軸に固装すると共に前記頂座の前記第２歯車溝、前記第３歯車溝内に設置し、前記第２歯車の直径が比較的大きく、前記第３歯車の直径が比較的小さく、前記第２歯車と直径が比較的小さい前記第１歯車と噛合し、また、前記第４歯車、前記第５歯車が同軸に固装され、その中央が前記頂座の前記接合柱を穿通し、且つ、前記接合柱の下方に前記接合柱と接合する軸スリーブを設置し、以って、前記第４歯車、第５歯車位置を定位し、また、前記第４歯車の直径が前記第３歯車より大きいと共に前記第３歯車と噛合し、前記第５歯車の直径が前記第４歯車より小さいと共に前記ペダルの前記歯形部と噛合することを特徴とする請求項１に記載のモップの遠心脱水装置。
【考案の詳細な説明】
【技術分野】
【０００１】
本考案は、モップの遠心脱水装置に関する。
【背景技術】
【０００２】
従来は、手でモップの繊維を絞って水を切っている。前述の方法では手で絞るという肉体的負荷、及び不便性がある。そのため、遠心力によるモップ脱水装置が開発された。この脱水装置は脱水バケツ、モップ専用絞り器、伝動機構を備える。モップ専用絞り器は脱水バケツ内に設けられ、モップ専用絞り器に連結するワンウェイベアリングを有する。伝動機構はペダルを備え、ペダルでモップ専用絞り器を片方向に回転させることで、モップ専用絞り器に置かれたモップの繊維を遠心力で脱水させることができる。遠心力により飛散した水は脱水バケツ内に流れ込む。
【考案の概要】
【考案が解決しようとする課題】
【０００３】
前述の脱水過程において、水がモップ専用絞り器から伝動機構に容易に飛び散り、また伝動機構のワンウェイベアリングのアセンブリが浸水により係止する状況が起きるおそれがある。脱水装置の伝動機構は一般的にペダルの動力伝達に連動する歯車組を備えるが、歯車組の設計では足踏みという肉体的負荷並びにモップ専用絞り器の回転速度不足により脱水効率が悪いという欠点がある。
【０００４】
本考案は、脱水効率、防水性及び使用寿命を増進可能なモップの遠心脱水装置を提供するのを目的とする。
【課題を解決するための手段】
【０００５】
本考案のモップの遠心脱水装置は脱水バケツと、モップ専用絞り器と、遮水リングと、伝動機構とを含む。脱水バケツは収納室を具備し、収納室の一側に収容部を設置し、収容部の下方に載置板を備える。載置板の中央に軸孔を設け、且つ軸孔内に好ましい耐摩耗材質で製造された上部軸スリーブを設置する。軸孔の外環周の対応する位置に遮水壁を凸設し、脱水バケツの収容部の載置板下方の対応する位置に内凹部を設置する。モップ専用絞り器はモップ底部を収容可能な収容槽を備え、収容槽に複数の水切り孔を設置し、底部に軸棒を接合し、底部の遮水壁の対応する位置に環状嵌め輪を凸設する。遮水リングは脱水バケツの頂上部及び収容部の上方の対応する位置に設けられ、脱水バケツのバケツ壁頂上部端縁の対応する位置にバケツ壁頂上部と接合できる嵌合溝を設置し、脱水バケツのバケツ壁内面の対応する位置に隔壁を設置し、遮水リング頂上部が中央方向へ向け遮水片を設置し、且つ遮水片の内面と隔壁の間に遮水夾角を有し、夾角が９０°より小さくなるようにする。伝動機構は台座、ペダル、弾性エレメント、頂座、歯車組を備える。ペダルが台座と枢着する枢着部を有し、扇形の歯板を有する。歯板の一側上方に歯形部を設け、歯板に足踏み部を連設する。弾性エレメントがペダル復帰動作に弾力を提供する。頂座は脱水バケツの内凹部上方に設置され、脱水バケツの載置板の底面と接合し、第１歯車溝、第２歯車溝、第３歯車溝を備える。底部に中空部を有する接合柱を設置する。歯車組は第１歯車乃至第５歯車を備え、第１歯車が軸心の対応する位置にワンウェイベアリングを固設する。第２歯車、第３歯車が同軸に固装すると共に頂座の第２歯車溝、第３歯車溝内に設けられ、また第２歯車の直径が比較的大きく、第３歯車の直径が比較的小さく、且つ第２歯車と直径が比較的小さい第１歯車と噛合する。第４歯車、第５歯車が同軸に固装し、またその中央が頂座の接合柱を穿通し、接合柱の下方に接合柱と接合するための軸スリーブが設置され、以って第４歯車、第５歯車位置を定位する。第４歯車の直径は第３歯車より大きく、第３歯車と噛合する。第５歯車の直径が第４歯車より小さく、且つはすば歯車で、ペダルの歯形部と噛合する。前記モップ専用絞り器の軸棒を脱水バケツ軸孔の上部軸スリーブ、ワンウェイベアリング、接合柱を穿通させ、軸棒とワンウェイベアリングとを連動接合させる。これにより、本考案が脱水時モップ専用絞り器から上方へ飛び散った水滴を遮水リングの遮水片で遮断することで容易に滲みださず、又、モップ専用絞り器の下方に脱水バケツの遮水壁と接合する嵌め輪を有し、第１歯車が頂座から嵌合するため、操作時に水滴がワンウェイベアリングに浸入することを防止することができる。また多重の遮断を介して水気がワンウェイベアリングに浸入することを防止することができ、好適な操作の安定性及び使用寿命を確保することができる。又、本考案のペダルを踏んだ時、歯車組により操作の省力、及び、第１歯車、モップ専用絞り器に高速回転させる効果を兼ね備え、且つ操作の利便性及び効率をアップできる。
【図面の簡単な説明】
【０００６】
【図１】本考案の一実施形態によるモップの遠心脱水装置を示す分解図。
【図２】本考案の一実施形態によるモップの遠心脱水装置を示す模式図。
【図３】本考案の一実施形態によるモップの遠心脱水装置を示す模式図。
【図４】本考案の一実施形態によるモップの遠心脱水装置の作動を示す模式図。
【図５】本考案の一実施形態によるモップの遠心脱水装置のギアの作動を示す模式図。
【考案を実施するための形態】
【０００７】
本考案の一実施形態によるモップの遠心脱水装置を図１乃至図３を参照にしながら説明する。
（一実施形態）
本考案の一実施形態によるモップの遠心脱水装置は脱水バケツ１と、モップ専用絞り器２と、遮水リング３と、伝動機構４とを備える。脱水バケツ１は収納室１１を有する。収納室１１の一側にモップ専用絞り器２を収容できる収容部１２を設置する。収容部１２の下方に載置板１３を設ける。載置板１３の中央には軸孔１４を有し、軸孔１４内に好ましい耐摩耗材質で製造された上部軸スリーブ１５を設置する。軸孔１４の外環周の対応する位置に遮水壁１６を凸設し、並びに脱水バケツ１の収容部１２の載置板１３下方の対応する位置に伝動機構４を配設ための内凹部１７を設置する。
【０００８】
モップ専用絞り器２はモップ５の底部（図４に示す）を収容できる収容槽２１を備える。収容槽２１は複数の水切り孔２２を有し、底部に軸棒２３と接合し、並びに底部の遮水壁１６の対応する位置に遮水壁１６と嵌合できる環状嵌め輪２４が凸設される。
【０００９】
遮水リング３は脱水バケツ１の頂上部及び収容部１２の上方の対応する位置に設けられる。脱水バケツ１のバケツ壁頂上部端縁の対応する位置にはバケツ壁頂上部と接合できる嵌合溝３１が設置される。脱水バケツ１のバケツ壁内面の対応する位置には隔壁３２が設置される。遮水リング３頂上部には中央方向へ向け遮水片３３が設置され、遮水片３３の内面と隔壁３２との間に図３に示すような遮水夾角Θを有する。遮水夾角Θは９０°より小さい角度である。
【００１０】
伝動機構４は台座４１、ペダル４２、弾性エレメント４３、頂座４４、歯車組４５を備える。台座４１は接合エレメントにより脱水バケツ１の内凹部１７の下方位置に固設され、その上方に枢着部４１１が設置され、一側に立板４１２が凸設され、立板４１２に定位柱４１３が設置される。ペダル４２の下方に設けられる枢着部４２１は台座４１と枢着する枢軸を有する。立板４１２の一側の対応する位置に扇形の歯板４２２を設置し、且つ歯板４２２の一側上方に歯形部４２３を設置する。前記定位柱４１３に対応すると共に歯板４２２の作動行程に合わせた位置に定位柱４１３が挿入できるよう円弧穴４２４を設置する。ここで、円弧穴４２４に定位柱４１３を挿入することで、歯板４２２の偏り動作の安定性を増進できる。歯板４２２に足踏み部４２５が連設され、足踏み部４２５は脱水バケツ１の内凹部１７の外側に延出する。弾性エレメント４３はねじりコイルばねとなり、対応するコイル両側がそれぞれ台座４１、ペダル４２に当たり、ペダル４２の復帰動作に弾力を提供する。頂座４４は脱水バケツ１の内凹部１７の上方に設置され、接合エレメントにより脱水バケツ１の載置板１３の底面と接合し、第１歯車溝４４１、第２歯車溝４４２、及び第３歯車溝４４３を備える。第３歯車溝４４３に軸柱４４４を設置し、頂座４４底部にねじのある中空接合柱４４５を設置する。歯車組４５は第１歯車乃至第５歯車４５１、４５２、４５３、４５４、４５５を備え、第１歯車４５１は頂座４４の第１歯車溝４４１及び脱水バケツ１の軸孔１４の軸方向の対応する位置に設けられ、軸心上方の対応する位置に方向ベアリング４５１１が固装される。第２歯車４５２及び第３歯車４５３は同軸に固装されると共に頂座４４の第２歯車溝４４２及び第３歯車溝４４３内に設置される。第２歯車４５２の直径が比較的大きく、第３歯車４５３の直径が比較的小さく、また第２歯車４５２と直径が比較的小さい第１歯車４５１と噛合する。第４歯車４５４及び第５歯車４５５は同軸に固装され、中央が頂座４４の接合柱４４５を穿通する。接合柱４４５の下方に接合柱４４５と接合するための軸スリーブ４５６が設置され、第４歯車４５４及び５歯車４５５位置を定位する。第４歯車４５４の直径は第３歯車４５３より大きく形成されると共に第３歯車４５３と噛合する。第５歯車４５５の直径は第４歯車４５４に比べて小さく形成されると共に、はすば歯車でペダル４２の歯形部４２３と噛合する。前記モップ専用絞り器２の軸棒２３が脱水バケツ１の軸孔１４の上部軸スリーブ１５及び接合柱４４５を穿通し、軸棒２３とワンウェイベアリング４５１１とを連動接合する。また上部軸スリーブ１５は軸棒２３の回転時、軸孔１４の孔壁摩損を防止することができる。
【００１１】
本実施形態のモップの遠心脱水装置の作動を図４乃至図５を参照にしながら説明する。使用者が、水気を含んだモップ５の底部をモップ専用絞り器２の収容槽２１内に置き、ペダル４２の足踏み部４２５を踏んだ時、ペダル４２は台座４１に対応して枢転偏移し、第１歯車乃至第５歯車４５１、４５２、４５３、４５４、４５５、軸棒２３、及びモップ専用絞り器２は回転する。ペダル４２が放された時、弾性エレメント４３の弾性復帰力によりペダル４２の足踏み部４２５を原位置に復帰させることができる。また第１歯車４５１が連設するワンウェイベアリング４５１１とモップ専用絞り器２の軸棒２３とが接合するため、足踏み部４２５の復帰動作時、軸棒２３が逆転しない。よって、繰り返してペダル４２を踏んだ場合、モップ専用絞り器２を一方向に回転させると共に、水気を含んだモップ５を回転させて脱水目的を達成できる。又、脱水時、モップ専用絞り器２から上方へ飛び散る水滴が遮水リング３の遮水片３３によって遮断されるため、容易に滲みださない。モップ専用絞り器２の下方に脱水バケツ１の遮水壁１６と接合する嵌め輪２４が設けられる。第１歯車４５１も第１歯車溝４４１内に設置すると共に頂座４４が嵌合して遮断するため、操作時に水滴がワンウェイベアリング４５１１に浸入することを防止することができる。また多重の遮断を通じて水気がワンウェイベアリング４５１１内に浸入することを防止することができ、好適な操作の安定性及び使用寿命を確保することができる。
【００１２】
図５示すように、ペダル４２の足踏み動作時、図の矢印ａ１方向のようにその歯形部４２３は、直径が比較的小さい第５歯車４５５を図の矢印ａ２方向通り回転させると共に回転速度を高める。また同時に直径が比較的大きい第４歯車４５４を連動して図の矢印ａ３方向から回転すると共に第３歯車４５３、第２歯車４５２を図の矢印ａ４、ａ５方向通り回転させる。また第３歯車４５３、第２歯車４５２が緩衝し、次に第２歯車４５２が第１歯車４５１を図の矢印ａ６方向通り回転させ、軸棒２３を図の矢印ａ７方向通り回転させる。これにより第２歯車４５２及び第３歯車４５３を通じて緩衝作用を有し、第４歯車４５４及び第５歯車４５５がペダル４２により回転する時直接動力を第１歯車４５１及び軸棒２３へ伝達することを防止することができるため、省力効果を持つことができる。本考案の従動輪は小歯車で、主動輪が大歯車である設計は回転速度を高めることができる。例えば第５歯車４５５、第３歯車４５３、第１歯車４５１は、直径が比較的小さく、且つそれぞれ、ペダル４２の比較的大きな円弧度の歯形部４２３、及び、直径が比較的大きな第２歯車４５２及び第４歯車４５４により駆動されるため、加速効果を持つことができる。本考案は操作の省力及び第１歯車４５１、モップ専用絞り器２を高速回転させる効果を兼ね備え、操作の利便性及び効率をアップさせることができる。
【符号の説明】
【００１３】
１            ・・・脱水バケツ、
１１          ・・・収納室、
１２          ・・・収容部、
１３          ・・・載置板、
１４          ・・・軸孔、
１５          ・・・上部軸スリーブ、
１６          ・・・遮水壁、
１７          ・・・内凹部、
２            ・・・モップ専用絞り器、
２１          ・・・収容槽、
２２          ・・・水切り孔、
２３          ・・・軸棒、
２４          ・・・嵌め輪、
３            ・・・遮水リング、
３１          ・・・嵌合溝、
３２          ・・・隔壁、
３３          ・・・遮水片、
４            ・・・伝動機構、
４１          ・・・台座、
４１１        ・・・枢着部、
４１２        ・・・立板、
４１３        ・・・定位柱、
４２          ・・・ペダル、
４２１        ・・・枢着部、
４２２        ・・・歯板、
４２３        ・・・歯形部、
４２４        ・・・円弧穴、
４２５        ・・・足踏み部、
４３          ・・・弾性エレメント、
４４          ・・・頂座、
４４１〜４４３・・・第１乃至第３歯車溝、
４４４        ・・・軸柱、
４４５        ・・・接合柱、
４５          ・・・歯車組、
４５１〜４５５・・・第１乃至第５歯車、
４５１１      ・・・ワンウェイベアリング、
４５６        ・・・軸スリーブ、
５            ・・・モップ。
【図１】
0003160843.tif 000003
【図２】
0003160843.tif 000004
【図３】
0003160843.tif 000005
【図４】
0003160843.tif 000006
【図５】
0003160843.tif 000007